(57)【特許請求の範囲】
【請求項１】
伝送線を介して火災感知器と接続され、前記火災感知器から送信される火災信号を受信すると火災発報処理を行う火災受信機を複数備えた火災監視システムであって、
前記火災受信機は、
タイマと、
前記タイマが計測する時間である計測時間を入力する入力部と、
表示装置と、
前記表示装置に表示する、前記火災受信機を管理する管理者に対する注意喚起情報を設定する表示設定部と、を備え、
前記表示装置は、
前記タイマが計時を開始してから前記計測時間が経過すると、前記表示設定部によって設定された前記注意喚起情報を表示し、
前記注意喚起情報を表示している際に前記火災信号を受信すると、前記注意喚起情報の表示を停止して前記火災発報処理を行い、
前記火災信号を受信して前記火災発報処理を行っている際に、前記タイマが計時を開始してから前記計測時間が経過した場合は、前記火災発報処理が終了するまでは前記注意喚起情報を表示しないものであり、
複数の前記火災受信機のうちの一部の前記火災受信機の前記表示装置が前記注意喚起情報を表示し、残りの前記火災受信機の前記表示装置は、前記注意喚起情報を表示しない
ことを特徴とする火災監視システム。
【請求項２】
前記表示装置は、前記注意喚起情報を表示してから第一時間が経過すると表示を停止し、その後、定期的に前記注意喚起情報を表示する
ことを特徴とする請求項１記載の火災監視システム。
【請求項３】
前記表示装置による前記注意喚起情報の表示の一時停止を設定する一時停止設定部を備え、
前記表示装置は、前記一時停止設定部により表示の一時停止が設定されると表示を停止し、その後、定期的に前記注意喚起情報を表示する
ことを特徴とする請求項１記載の火災監視システム。
【請求項４】
前記表示装置による前記注意喚起情報の表示の中止を設定する表示中止設定部を備え、
前記表示装置は、前記表示中止設定部により前記表示の中止が設定された後は前記注意喚起情報の表示を行わない
ことを特徴とする請求項１〜請求項３のいずれか一項に記載の火災監視システム。
【発明の詳細な説明】
【技術分野】
【０００１】
本発明は、火災監視システムに関する。
【背景技術】
【０００２】
従来、火災感知器と接続され、火災感知器から火災信号を受信すると火災発報処理を行う液晶表示部を備えた火災受信機が知られている（例えば、特許文献１参照）。
【先行技術文献】
【特許文献】
【０００３】
【特許文献１】特開２００７−６６１４９号公報
【発明の概要】
【発明が解決しようとする課題】
【０００４】
火災受信機は一般に、ビルや地下街等の防火対象となる建物の一室に設置されて管理者により管理され、長年に渡って使用される。しかし、年月が経つと、火災受信機を管理する管理者が変わることがある。火災受信機及びこれが接続されたシステムにおいては定期点検が必要だが、管理者が変わって定期点検の時期が引き継がれなかった場合には定期点検が行われないおそれがある。また、管理者が変わらない場合でも、年月が経つと、管理者が定期的に行うべき定期点検等の仕事に関する意識が薄れてしまうおそれがあった。したがって、火災が検出されたときの火災発報とは別に、火災受信機の管理者等に対して注意喚起を行うことのできる火災受信機を備えた火災監視システムが望まれていた。
【０００５】
本発明は、上記のような課題を背景としてなされたものであり、火災受信機を管理する管理者等に対して各種の注意喚起を行うことのできる火災監視システムを提供するものである。
【課題を解決するための手段】
【０００６】
本発明に係る火災監視システムは、伝送線を介して火災感知器と接続され、前記火災感知器から送信される火災信号を受信すると火災発報処理を行う火災受信機を複数備えた火災監視システムであって、前記火災受信機は、タイマと、前記タイマが計測する時間である計測時間を入力する入力部と、表示装置と、前記表示装置に表示する、前記火災受信機を管理する管理者に対する注意喚起情報を設定する表示設定部と、を備え、前記表示装置は、前記タイマが計時を開始してから前記計測時間が経過すると、前記表示設定部によって設定された前記注意喚起情報を表示し、前記注意喚起情報を表示している際に前記火災信号を受信すると、前記注意喚起情報の表示を停止して前記火災発報処理を行い、前記火災信号を受信して前記火災発報処理を行っている際に、前記タイマが計時を開始してから前記計測時間が経過した場合は、前記火災発報処理が終了するまでは前記注意喚起情報を表示しないものであり、複数の前記火災受信機のうちの一部の前記火災受信機の前記表示装置が前記注意喚起情報を表示し、残りの前記火災受信機の前記表示装置は、前記注意喚起情報を表示しないものである。
【発明の効果】
【０００８】
本発明に係る火災監視システムによれば、火災発報処理を妨げることなく、管理者等に対する注意喚起を行うことができる。
【図面の簡単な説明】
【０００９】
【図１】実施の形態１に係る火災監視システムの構成図である。
【図２】実施の形態１に係る火災受信機の機能ブロック図である。
【図３】実施の形態１に係る火災受信機の注意喚起情報の表示に関する動作を説明する図である。
【図４】実施の形態１に係る火災受信機の表示装置の火災監視中の表示例を説明する図である。
【図５】実施の形態１に係る火災受信機の表示装置の注意喚起情報の表示例を説明する図である。
【図６】実施の形態２に係る火災監視システムの構成図である。
【発明を実施するための形態】
【００１０】
本発明に係る火災受信機及び火災監視システムの実施の形態を、図面に基づいて説明する。なお、以下に示す図面の形態によって本発明が限定されるものではない。
【００１１】
実施の形態１．
図１は、実施の形態１に係る火災監視システムの構成図である。火災監視システム１は、伝送線２を介して、火災受信機１０、熱感知器２１、煙感知器２２、中継器５０、及び中継器５１が接続されている。中継器５０にはベル３１が接続され、中継器５１には熱感知器２１、煙感知器２２、ベル３１、及び防火扉４１が接続されている。
【００１２】
熱感知器２１は、設定温度以上の熱を感知すると伝送線２に火災信号を出力する火災感知器である。煙感知器２２は、煙を感知すると伝送線２に火災信号を出力する火災感知器である。熱や煙を感知する火災感知器のほか、赤外線放射、紫外線放射、燃焼ガス等の火災に起因する物理現象を検出する任意の火災感知器を用いることができる。なお、以降の説明において火災感知器の種類を特定する必要のないときには、火災感知器２０と総称する。
【００１３】
ベル３１は、警報装置の一例であり、伝送線２を介して取得する火災受信機１０からの信号に基づいて音響警報を出力する。警報装置としては、ベル３１のほか、スピーカやフラッシュライト等が用いられる。防火扉４１は、防排煙装置の一例であり、伝送線２及び中継器５１を介して取得する火災受信機１０からの信号に基づいて、扉を閉じる。防排煙装置としては、防火扉４１のほか、シャッター等が用いられる。なお、以降の説明において種類を特定する必要のないときには、警報装置３０、防排煙装置４０と称する。
【００１４】
中継器５０及び中継器５１は、伝送線２を介して火災受信機１０と接続されるとともに、他の信号線を介して火災感知器２０、警報装置３０、及び防排煙装置４０のいずれか一つ以上と接続される。中継器５０及び中継器５１は、火災受信機１０からの信号を中継して火災感知器２０、警報装置３０、及び防排煙装置４０に伝えるとともに、火災感知器２０等からの信号を中継して火災受信機１０に伝える。
【００１５】
火災受信機１０は、伝送線２を介して火災信号を受信すると火災発報処理を行う。火災受信機１０は、操作入力装置１１、表示装置１２、及び印刷装置１３を備えている。操作入力装置１１は、例えばタッチパネル、ハードウェアスイッチ、ボタン等の使用者からの操作入力を受け付ける装置である。
【００１６】
表示装置１２は、火災感知器２０が感知した火災に関する情報、複数の火災感知器２０等の状態を示す情報など、火災監視システム１を構成する各部の情報を表示する。表示装置１２は、例えば、液晶表示画面やランプ等を備える。
【００１７】
印刷装置１３は、火災発報情報を印字する装置であり、必要に応じて設けることができる。
【００１８】
実施の形態１では、火災受信機１０には、外部機器６０及び表示機７０が通信可能に接続されている。外部機器６０は、例えば専用端末やパーソナルコンピュータであり、火災監視システム１内の火災感知器２０等の機器の情報や、後述する注意喚起情報の表示に関する設定を行う機器である。火災受信機１０と外部機器６０とは、ＵＳＢ（Ｕｎｉｖｅｒｓａｌ  Ｓｅｒｉａｌ  Ｂｕｓ）、ＲＳ−２３２Ｃ等を用いた有線通信又は無線通信の任意の通信方式で接続される。
【００１９】
表示機７０は、火災感知器２０が感知した火災に関する情報、複数の火災感知器２０等の状態を示す情報など、火災監視システム１を構成する各部の情報を、火災受信機１０が設置された場所とは別の場所で表示するための装置である。表示機７０は、例えば液晶表示画面又はランプを有し、任意の通信方式で火災受信機１０と接続される。表示機７０は必要に応じて設ければよい。
【００２０】
図２は、実施の形態１に係る火災受信機の機能ブロック図である。火災受信機１０は、前述の操作入力装置１１、表示装置１２、及び印刷装置１３に加え、制御装置１４、伝送装置１５、通信装置１６を備える。
【００２１】
制御装置１４は、火災受信機１０全体の動作を制御する。制御装置１４は、例えばマイコンや制御回路で構成される演算部１４１と、演算部１４１を動作させるためのプログラム及び演算部１４１の演算処理に用いられるデータを保持する記憶部１４２と、タイマ１４４とを備える。記憶部１４２には、後述するデータベース１４３が記憶されるほか、伝送線２に接続された火災感知器２０、警報装置３０、防排煙装置４０、中継器５０、５１を識別するアドレス等の識別情報が格納される。
【００２２】
データベース１４３には、表示装置１２に表示する注意喚起情報の表示に関する情報として、通知設定情報１４３ａと計時情報１４３ｂとが格納される。通知設定情報１４３ａは、注意喚起情報として表示する内容である。注意喚起情報は、文字に限定されず、例えば図柄を表示であってもよい。また、表示装置１２がランプである場合には、ランプの点灯状態に関する情報を通知設定情報１４３ａに格納する。計時情報１４３ｂは、タイマ１４４が計測する時間である計測時間Ｔを含む。
【００２３】
タイマ１４４は、演算部１４１からの指令に基づいて時間を計測する。具体的には、演算部１４１は、計時開始タイミングになると、タイマ１４４に計時の開始を指示するとともに計測時間Ｔを指示する。タイマ１４４は、計時を開始してから設定された計測時間Ｔが経過すると、その旨の信号を演算部１４１に出力する。
【００２４】
伝送装置１５は、伝送線２を介して信号を送受信する通信インタフェースである。通信装置１６は、外部機器６０と信号を送受信する通信インタフェースである。
【００２５】
外部機器６０は、火災受信機１０の通信装置１６との通信インタフェースである通信装置６１を備え、データベース６２を格納している。データベース６２は、通知設定情報６２ａと計時情報６２ｂを有する。通知設定情報６２ａ及び計時情報６２ｂは、火災受信機１０のデータベース１４３内の通知設定情報１４３ａ及び計時情報１４３ｂと同じである。
【００２６】
火災受信機１０のデータベース１４３への設定は、操作入力装置１１と外部機器６０の何れか又は両方を用いて行う。操作入力装置１１に注意喚起情報として表示する内容及び注意喚起情報を表示するタイミング、すなわち計測時間Ｔを入力すると、制御装置１４の記憶部１４２のデータベース１４３にそれら情報が格納される。また、外部機器６０に格納された通知設定情報６２ａと計時情報６２ｂを、通信装置６１を介して通信装置１６に送信し、記憶部１４２のデータベース１４３に格納することもできる。本発明の表示設定部は、実施の形態１では操作入力装置１１及び外部機器６０に相当する。
【００２７】
次に、実施の形態１に係る火災監視システム１の火災監視及び火災発報処理に係る基本的な動作を説明する。火災感知器２０は、設置された場所において火災に起因する物理現象の有無を監視しており、火災の発生を検出すると火災信号を伝送線２に出力する。火災受信機１０は、火災感知器２０からの火災信号を受信すると、火災発報処理を行う。ここで、火災発報処理は、火災の発生を知らせる処理の総称であり、警報装置３０に警報を出力させる処理、防排煙装置４０を動作させる処理、表示機７０に警報を表示させる処理、及び表示装置１２に火災を検出した火災感知器２０の識別情報や設置場所等の情報を表示させる処理を含む。実施の形態１では、火災受信機１０の制御装置１４が火災発報処理を司る。火災受信機１０からの発報処理に係る信号を受信した警報装置３０及び防排煙装置４０は、予め定められた動作を行う。
【００２８】
次に、火災受信機１０の注意喚起情報の表示に係る処理を説明する。図３は、実施の形態１に係る火災受信機の注意喚起情報の表示に関する動作を説明する図である。ここで、火災受信機１０の記憶部１４２のデータベース１４３には、通知設定情報１４３ａ及び計時情報１４３ｂが格納されているものとする。
【００２９】
（ケース１：火災監視中）
火災監視中であって、火災が検出されていない状態の動作を、ステップＳ１０１〜Ｓ１０３に示す。図４は、実施の形態１に係る火災受信機の表示装置の火災監視中の表示例を説明する図である。表示装置１２には、伝送線２に接続された火災感知器２０、警報装置３０、及び防排煙装置４０の状態が表示される。火災監視中において、火災受信機１０の制御装置１４の演算部１４１は、計時開始タイミングになると（Ｓ１０１：ＹＥＳ）、タイマ１４４に計時の開始を指示する。
【００３０】
ここで、タイマ１４４が計時を開始する計時開始タイミングは、火災受信機１０が防火対象となる場所に設置されて電源が投入されたときとすることができる。この場合、火災受信機１０に電源が投入されるとタイマ１４４は計時を開始する。あるいは、計時開始タイミングを、計時情報１４３ｂに格納するようにしてもよい。この場合、計時情報１４３ｂに、計測時間Ｔに加えて所望の日時を計時開始タイミングとして格納する。そして、演算部１４１は、内部データとして保持しているカレンダー情報に基づいて計時開始タイミングになったことを検出すると、タイマ１４４に計時を開始させる。
【００３１】
計時を開始したタイマ１４４は、データベース１４３の計時情報１４３ｂに格納された計測時間Ｔをカウントするまで計時を続け、計測時間Ｔが経過すると（Ｓ１０２：ＹＥＳ）、演算部１４１に対して計測時間Ｔが経過したことを知らせる信号を出力する。
【００３２】
計測時間Ｔが経過したことを知らせる信号を受けた演算部１４１は、表示装置１２に予め定めた注意喚起情報を表示させる（Ｓ１０３）。表示装置１２に表示される注意喚起情報は、データベース１４３の通知設定情報１４３ａに格納された情報である。図５は、実施の形態１に係る火災受信機の表示装置の注意喚起情報の表示例を説明する図である。図５の例では、表示装置１２に注意喚起情報１２１が文字で表示されている。
【００３３】
（ケース２：火災発報処理中）
火災感知器２０は上述のように常時火災を監視しており、火災の発生を検出すると（Ｓ２１１：ＹＥＳ）、伝送線２を介して火災信号が火災受信機１０に送信される。火災信号を受信した火災受信機１０は、火災発報処理を行い（Ｓ２０１）、警報装置３０及び防排煙装置４０が作動する（Ｓ２２１）。
【００３４】
火災受信機１０は、火災発報処理を行っている最中にタイマ１４４が計測時間Ｔを計時した場合であっても、火災発報処理が終了するまでは注意喚起情報の表示を行わない。このようにすることで、火災発報処理が妨げられることがなく、火災受信機１０の本来の機能を発揮することができる。なお、火災受信機１０は、火災発報処理が終了（火災が復旧）したあとは、注意喚起情報を表示しない状態を継続する。なお、注意喚起情報の表示は、翌日の所定の時刻に再度行うものとする。
【００３５】
（ケース３：注意喚起情報の表示中に火災感知）
表示装置１２が注意喚起情報を表示している状態である（Ｓ３０１）。このとき、火災感知器２０が火災の発生を検出すると（Ｓ３１１：ＹＥＳ）、伝送線２を介して火災信号が火災受信機１０に送信される。火災信号を受信した火災受信機１０は、表示装置１２による注意喚起情報の表示を停止する（Ｓ３０２）。火災受信機１０は、火災発報処理を行い（Ｓ３０３）、警報装置３０及び防排煙装置４０が作動する（Ｓ３２１）。このように注意喚起情報を表示している最中に火災が検出された場合には、注意喚起情報の表示を停止して火災発報処理を行うことで、火災受信機１０の本来の機能が発揮される。なお、火災受信機１０は、火災発報処理が終了（火災が復旧）したあとは、注意喚起情報を表示しない状態を継続する。なお、注意喚起情報の表示は、翌日の所定の時刻に再度行うものとする。
【００３６】
以上のように実施の形態１の火災受信機１０は、注意喚起情報を表示装置１２に表示するので、火災発報処理を妨げることなく、管理者等に対する注意喚起を行うことができる。例えば、注意喚起情報として定期点検を促すメッセージを設定した場合には、火災受信機１０が設置されてから定期点検を忘れて何年も放置されるのを抑制することができる。また、注意喚起情報として何らかの費用が未払いであることを知らせるメッセージを設定した場合には、管理者に費用の支払いを求めることができる。
【００３７】
なお、表示装置１２が注意喚起情報を表示しているときに表示を一時的に停止させる一時停止設定部を火災受信機１０に設けてもよい。制御装置１４は、一時停止設定部により表示の一時停止が設定されると、注意喚起情報の表示を一時停止するように表示装置１２を制御する。一時停止設定部は、例えば、操作入力装置１１により実現することができ、図５に示された「閉じる」ボタン１２２がその一例である。あるいは、外部機器６０で設定された表示の一時停止を、一時停止設定部としての通信装置１６を介して制御装置１４に伝達するようにしてもよい。注意喚起表示を一時的に停止させることで、管理者は、通常の監視時の情報を表示装置１２で確認することができる。
【００３８】
また、表示装置１２は、注意喚起情報を表示してから第一時間が経過すると表示を停止し、その後、定期的に注意喚起情報を表示してもよい。具体的には、演算部１４１は、表示装置１２に注意喚起情報を表示させてから、タイマ１４４を用いて任意の第一時間を計時し、第一時間が経過すると注意喚起情報の表示を停止させる。そして、さらにタイマ１４４を用いて表示の待機時間である第二時間を計時し、第二時間が経過すると表示装置１２に注意喚起情報を表示させる。なお、上述の一時停止設定部を設けた場合であって、一時停止設定部により表示の一時停止が設定されて表示を停止した場合でも、その後定期的に注意喚起情報を表示するようにしてもよい。このように定期的に注意喚起情報を表示することで、管理者により注意を促すことができる。
【００３９】
また、表示装置１２による注意喚起情報の表示の中止を設定する表示中止設定部を火災受信機１０に設け、表示装置１２は、表示中止設定部により表示の中止が設定された後は注意喚起表示を行わないようにしてもよい。表示中止設定部は、例えば、操作入力装置１１により実現することができる。あるいは、外部機器６０で設定された表示の中止を、表示中止設定部としての通信装置１６を介して制御装置１４に伝達するようにしてもよい。さらに、安易に表示の中止を行えないようにするために、表示中止の設定のためのパスワードを設けてもよい。
【００４０】
また、表示装置１２による注意喚起情報の表示に加え、印刷装置１３が注意喚起情報を印刷するようにしてもよい。表示装置１２による注意喚起情報の表示に加え、表示機７０が注意喚起情報を表示するようにしてもよい。
【００４１】
また、記憶部１４２のうち、少なくともデータベース１４３を記憶する素子については書き換え可能な記憶素子で構成して、データベース１４３を更新できるようにしてもよい。
また、データベース１４３には、対応関係となる通知設定情報１４３ａと計時情報１４３ｂとを、複数格納するようにして、複数の注意喚起情報を表示装置１２に表示するようにしてもよい。その場合、計時タイマ１４４が個別の計測時間Ｔを計時したタイミングで、個別の注意喚起情報を表示装置１２に表示する。
【００４２】
実施の形態２．
実施の形態２では、複数台の火災受信機を有する火災監視システムについて、実施の形態１との相違点を中心に説明する。
【００４３】
図６は、実施の形態２に係る火災監視システムの構成図である。図６に示す火災監視システム１Ａは、複数の火災受信機１０Ａが受信機ネットワーク８０を介して通信接続されている。火災受信機１０Ａは、実施の形態１で説明した構成に加え、受信機ネットワーク８０を介して互いに通信するための受信機通信装置１７を備えている。
【００４４】
実施の形態２の火災受信機１０Ａは、火災受信機１０Ａ同士で連動して注意喚起情報の表示／表示停止を行う機能を有する。火災受信機１０Ａは、それぞれ、受信機ネットワーク８０に接続された火災受信機１０Ａを特定する情報を記憶している。そして、一台の火災受信機１０Ａのタイマ１４４が計測時間Ｔを計測すると、その火災受信機１０Ａは表示装置１２に注意喚起情報を表示するとともに、受信機ネットワーク８０を介して他の火災受信機１０Ａに注意喚起情報の表示を指示する信号を送信する。そして、信号を受信した他の火災受信機１０Ａも表示装置１２に同様の注意喚起情報を表示する。これにより、管理者がどの火災受信機１０Ａの近くにいる場合でも、管理者に注意を促すことができる。
【００４５】
また、一時停止設定部又は表示中止設定部を火災受信機１０Ａに設けた場合、同時に注意喚起情報を表示している複数の火災受信機１０Ａのうち、いずれか一台に対して表示の一時停止又は表示の中止が設定されたときには、その火災受信機１０Ａは受信機ネットワーク８０を介して他の火災受信機１０Ａに表示の一時停止又は中止を指示する信号を送信する。そして、信号を受信した他の火災受信機１０Ａは、信号に基づいて注意喚起情報の表示を一時停止又は中止する。このようにすることで、複数台の火災受信機１０Ａのそれぞれに対して注意喚起情報の一時停止又は中止の設定を行う必要がないので、管理者の手間を省くことができる。
【００４６】
また、複数の火災受信機１０Ａのうち、一部の火災受信機１０Ａのみが注意喚起情報を表示するようにしてもよい。例えば、複数の火災受信機１０Ａのうちの注意喚起情報を表示する火災受信機１０Ａを予め決めておき、注意喚起情報を表示する火災受信機１０Ａの識別情報を各火災受信機１０Ａの記憶部１４２に記憶しておく。そして、注意喚起情報を表示する火災受信機１０Ａ以外の火災受信機１０Ａのタイマ１４４が計測時間Ｔを計測すると、自身では注意喚起情報の表示を行わず、注意喚起情報を表示する火災受信機１０Ａに対して注意喚起情報の表示を指示する信号を送信する。そして、信号を受信した火災受信機１０Ａが注意喚起情報を表示する。複数の火災受信機１０Ａのうち一部の火災受信機１０Ａのみが注意喚起情報を表示することで、管理者に対して所望の注意を促すとともに、複数台が同時に注意喚起情報を表示することによる煩わしさを解消することができる。
【００４７】
また、複数の火災受信機１０Ａのうちの注意喚起情報を表示する火災受信機１０Ａを予め決めておき、注意喚起情報を表示する火災受信機１０Ａの識別情報を各火災受信機１０Ａの記憶部１４２に記憶する場合については、一の火災受信機１０Ａのタイマ１４４が計測時間Ｔを計測すると、注意喚起情報を表示する他の火災受信機１０Ａに対して注意喚起情報の表示を指示する信号を送信するようにしてもよい。この場合、当該信号には、記憶部１４２に記憶された識別情報が付与されている。そして、自身の識別情報が付与された信号を受信した火災受信機１０Ａが注意喚起情報を表示することで、同様の効果が得られるものとなっている。
【符号の説明】
【００４８】
１、１Ａ  火災監視システム、２  伝送線、１０、１０Ａ  火災受信機、１１  操作入力装置、１２  表示装置、１３  印刷装置、１４  制御装置、１５  伝送装置、１６  通信装置、１７  受信機通信装置、２０  火災感知器、２１  熱感知器、２２  煙感知器、３０  警報装置、３１  ベル、４０  防排煙装置、４１  防火扉、５０  中継器、５１  中継器、６０  外部機器、６１  通信装置、６２  データベース、６２ａ  通知設定情報、６２ｂ  計時情報、７０  表示機、８０  受信機ネットワーク、１２１  注意喚起情報、１２２  ボタン、１４１  演算部、１４２  記憶部、１４３  データベース、１４３ａ  通知設定情報、１４３ｂ  計時情報、１４４  タイマ。
【図１】
0006765218.tif 000002
【図２】
0006765218.tif 000003
【図３】
0006765218.tif 000004
【図４】
0006765218.tif 000005
【図５】
0006765218.tif 000006
【図６】
0006765218.tif 000007